(57)【要約】【課題】映像送信に必要な帯域を増加させることなく、ケーブルの切断やディスプレイの故障に対応可能なマルチディスプレイ装置を提供する。【解決手段】マルチディスプレイ装置１００は、映像信号供給部１１０の第１供給ポートＳ１と第２供給ポートＳ２との間に順にケーブル１３０（１）〜１３０（ｎ＋１）を介してディジーチェーン接続され、第１及び第２供給ポートＳ１及びＳ２のいずれかから出力された映像信号に基づく映像を表示可能な第１〜第ｎのディスプレイ１２０と、映像信号制御部１４０と、を備える。映像信号制御部１４０は、通常時、第１供給ポートＳ１から映像信号を出力させるように映像信号供給部１１０を制御し、いずれかのディスプレイ１２０よりも下流側のディスプレイ１２０に映像信号が供給されていないことを検知した非通常時、第１供給ポートＳ１と第２供給ポートＳ２との両方から映像信号を出力させるように映像信号供給部１１０を制御する。【選択図】図１Ａ
2017207580.tif 000002
【特許請求の範囲】
【請求項１】
映像信号を出力可能な第１及び第２の入出力ポートを有する映像信号供給部と、
前記映像信号供給部の前記第１の入出力ポートと前記第２の入出力ポートとの間に順にケーブルを介してディジーチェーン接続され、前記第１及び第２の入出力ポートのいずれかから出力された映像信号に基づく映像を表示可能な第１〜第ｎのディスプレイと、
前記映像信号供給部の前記第１及び第２の入出力ポートからの映像信号の出力を制御する映像信号制御部と、を備え、
前記映像信号制御部は、
第１のとき、前記第１の入出力ポートから映像信号を出力させるように前記映像信号供給部を制御し、
前記第１〜第ｎのディスプレイのうちの少なくとも１つに映像信号が供給されていないことが検知された第２のとき、前記第１の入出力ポートと前記第２の入出力ポートとの両方から映像信号を出力させるように前記映像信号供給部を制御する、
マルチディスプレイ装置。
【請求項２】
前記第１〜第ｎのディスプレイのうち、前段のディスプレイから映像信号が入力されないディスプレイは、前記第２の入出力ポートから映像信号不受信情報を送信し、
前記映像信号制御部は、前記第１〜第ｎのディスプレイのうちの少なくとも１つから前記映像信号不受信情報が入力された場合、非通常時であるとする、
請求項１に記載のマルチディスプレイ装置。
【請求項３】
前記第１〜第ｎのディスプレイの各々は、所定時間間隔で、自装置が正常に動作しているか否かを示す状態情報を前記第２の入出力ポートから後段側に送信し、
前記映像信号制御部は、少なくとも一つのディスプレイの状態情報が前記所定時間よりも長い間入力されない場合、非通常時であるとする、
請求項１に記載のマルチディスプレイ装置。
【請求項４】
前記映像信号制御部は、所定のときに、前記映像信号供給部に確認用信号を前記第２の入出力ポートから前記第１のディスプレイに送信させ、
前記第１〜第ｎのディスプレイの各々は、前段側から受信した確認用信号を後段側に出力し、
前記映像信号制御部は、前記確認用信号を送信してから所定時間経過しても前段側から確認用信号が入力されない場合、非通常時であるとする、
請求項１に記載のマルチディスプレイ装置。
【請求項５】
前記第１〜第ｎのディスプレイの各々は、前段側から映像信号が入力されているか否かを示す映像信号入力フラグを前記第２の入出力ポートから送信し、
前記映像信号制御部は、少なくとも一つのディスプレイの映像信号入力フラグが、前段側から映像信号が入力されていないことを示している場合、非通常時であるとする、
請求項１に記載のマルチディスプレイ装置。
【発明の詳細な説明】
【技術分野】
【０００１】
本開示は、複数のディスプレイを有するマルチディスプレイ装置に関する。
【背景技術】
【０００２】
特許文献１は、ディジーチェーン接続された複数のディスプレイを有するマルチディスプレイ装置を開示している。また、特許文献１では、ディスプレイ同士を接続するケーブルの切断やディスプレイの故障に備え、ディジーチェーン接続による映像信号伝送路を２系統設けたことを開示している。
【先行技術文献】
【特許文献】
【０００３】
【特許文献１】特開２００７−２９８７５４
【発明の概要】
【発明が解決しようとする課題】
【０００４】
特許文献１の構成では、伝送路を１系統だけ設ける場合と比べて、映像送信に必要な帯域が２倍となる。その結果、例えば接続用のケーブルの本数を２倍に増加させる等の必要がある。
【０００５】
本開示は、映像送信に必要な帯域を増加させることなく、ケーブルの切断やディスプレイの故障に対応可能なマルチディスプレイ装置を提供する。
【課題を解決するための手段】
【０００６】
本発明のマルチディスプレイ装置は、
映像信号を出力可能な第１及び第２の入出力ポートを有する映像信号供給部と、
映像信号供給部の第１の入出力ポートと第２の入出力ポートとの間に順にケーブルを介してディジーチェーン接続され、第１及び第２の入出力ポートのいずれかから出力された映像信号に基づく映像を表示可能な第１〜第ｎのディスプレイと、
映像信号供給部の第１及び第２の入出力ポートからの映像信号の出力を制御する映像信号制御部と、を備える。
映像信号制御部は、
通常時、第１の入出力ポートから映像信号を出力させるように映像信号供給部を制御し、
いずれかのディスプレイよりも下流側のディスプレイに映像信号が供給されていないことを検知した非通常時、第１の入出力ポートと第２の入出力ポートとの両方から映像信号を出力させるように映像信号供給部を制御する。
【発明の効果】
【０００７】
本開示によれば、映像送信に必要な帯域を増加させることなく、ケーブルの切断やディスプレイの故障に対応可能となる。
【図面の簡単な説明】
【０００８】
【図１Ａ】実施の形態１におけるマルチディスプレイ装置の構成を示す図
【図１Ｂ】実施の形態１における各ディスプレイの構成を示す図
【図２】実施の形態１における各ディスプレイの映像表示動作を示すフローチャート
【図３Ａ】実施の形態１における各ディスプレイの異常検知に関連する動作を示すフローチャート
【図３Ｂ】実施の形態１における映像信号制御部の動作を示すフローチャート
【図４Ａ】実施の形態２における各ディスプレイの異常検知に関連する動作を示すフローチャート
【図４Ｂ】実施の形態２における映像信号制御部の動作を示すフローチャート
【図５Ａ】実施の形態３における各ディスプレイの異常検知に関連する動作を示すフローチャート
【図５Ｂ】実施の形態３における映像信号制御部の動作を示すフローチャート
【図６Ａ】実施の形態４における各ディスプレイの異常検知に関連する動作を示すフローチャート
【図６Ｂ】実施の形態４における映像信号制御部の動作を示すフローチャート
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、添付図面および以下の説明は、当業者が本開示を十分に理解するために、提供されるのであって、これらにより特許請求の範囲に記載の主題を限定することは意図されていない。
【００１０】
（発明の背景）
複数のディスプレイ（映像表示装置）を接続して１つのディスプレイのように機能させるマルチディスプレイ装置が幅広く用いられている。この種のマルチディスプレイ装置は、例えば、大画面を必要とする展示会や、競技場、ビルの壁面、コンサートなどの業務用途で用いられ、そのディスプレイの数は、設置場所の環境や用途・目的に応じて設定される。
【００１１】
マルチディスプレイ装置では、当該装置を構成する複数のディスプレイのそれぞれに映像信号を伝送する必要がある。映像信号の伝送形式としては、例えばスター型がある。スター型では、各ディスプレイを信号源に接続する。この場合、１つのディスプレイが故障したとしても、他のディスプレイは映像信号を取得して表示を行うことができる。
【００１２】
近年、マルチディスプレイ装置のさらなる大型化の要求がある。これに対応するためには、例えばディスプレイの数をより増加させる必要がある。この場合、例えば、配線の複雑化を避けることができかつ安価にシステムを構築可能なディジーチェーン型の伝送形式を採用することが考えられる。ディジーチェーン接続の場合、映像信号は、一のディスプレイから次のディスプレイへと順次受け渡される。この場合、いずれかのディスプレイの故障やケーブルの切断が生じると、故障または切断箇所の下流側のディスプレイの全てにおいて表示不能となる。
【００１３】
これに対しては、特許文献１のように、ディジーチェーン接続の映像信号伝送路として、２系統の伝送路を設けることが考えられるが、この場合、１系統だけ伝送路を設ける場合と比較して２倍の帯域が必要となる。
【００１４】
本開示は、映像送信に必要な帯域を増加させることなく、故障または切断に対して安定した映像信号を供給し続けることが可能なマルチディスプレイ装置を提供する。以下において、本開示のマルチディスプレイ装置の一例としての実施形態を説明する。
【００１５】
（実施の形態１）
以下、マルチディスプレイ装置の実施形態を説明する。
【００１６】
［１．構成］
図１Ａは、実施の形態１におけるマルチディスプレイ装置の構成を示す図である。マルチディスプレイ装置１００は、第１〜第ｎのｎ台のディスプレイ１２０（１）〜１２０（ｎ）と、映像信号供給部１１０と、映像信号制御部１４０と、第１〜第ｎ＋１のｎ＋１本のケーブル１３０（１）〜１３０（ｎ＋１）とを有する。
【００１７】
第１〜第ｎのディスプレイ１２０（１）〜１２０（ｎ）は、後に詳述するように、映像信号供給部１１０に対してケーブル１３０（１）〜１３０（ｎ＋１）によりディジーチェーン接続されている。
【００１８】
映像信号供給部１１０は、第１〜第ｎのディスプレイ１２０（１）〜１２０（ｎ）に映像信号を供給する。
【００１９】
映像信号制御部１４０は、映像信号供給部１１０による第１〜第ｎのディスプレイ１２０（１）〜１２０（ｎ）への映像信号の供給を制御する。
【００２０】
図１Ｂは、実施の形態１における各ディスプレイの構成を示す図である。第１〜第ｎのディスプレイ１２０（１）〜（ｎ）は互いに同一のハードウェア構成を有する。そのため、第１〜第ｎのディスプレイ１２０（１）〜１２０（ｎ）に関し、説明の際に区別する必要がない場合、適宜単に「ディスプレイ１２０」という。ディスプレイ１２０は、表示部１５２と、表示制御部１５１と、第１ポートＰ１と、第２ポートＰ２とを有する。
【００２１】
第１ポートＰ１及び第２ポートＰ２は、映像信号及び制御信号の入出力用のインタフェースである。第１ポートＰ１及び第２ポートＰ２は、例えば、Ｅｔｅｈｅｎｅｔ（登録商標）等の有線ＬＡＮの規格にしたがった双方向の通信を行うことができる。
【００２２】
表示部１５２は、液晶ディスプレイパネルで構成され、表示制御部１５１から出力された信号に基づく映像を表示する。なお、表示部１５２は、有機ＥＬディスプレイパネルやその他の表示デバイスで構成されてもよい。
【００２３】
表示制御部１５１は、ＣＰＵやメモリにより構成され、メモリ等に格納されているプログラムをＣＰＵで実行することで、後述する各種の機能を実現する。例えば、表示制御部１５１は、映像信号供給部１１０の第１供給ポートＳ１または第２ポートＰ２から入力された映像信号及び制御信号に基づいて、表示部１５２への映像の表示を制御する。表示制御部１５１は、映像信号が示す全映像のうち、自己のディスプレイ１２０の表示部１５２において表示させるべき領域の映像のみを抽出して当該表示部１５２の全画面に拡大して表示させる。表示させるべき領域は、ディスプレイ１２０毎に予め設定されている。
【００２４】
また、第１ポートＰ１及び第２ポートＰ２は、それぞれ、映像信号及び制御信号を入出力可能なポートとして構成されている。表示制御部１５１は、第１ポートＰ１と第２ポートＰ２とのいずれかから入力された映像信号に基づく映像を表示部１５２に表示させる。
例えば、図２のフローチャートに示すように、表示制御部１５１は、第１ポートＰ１から映像信号が入力された場合（映像信号を受信したポートが第１ポートＰ１のとき（Ｓ１１で第１ポートのとき））、第２ポートＰ２から同じ内容の映像信号を出力し（Ｓ１２）、第１ポートＰ１から入力された映像信号に基づく映像を表示部１５２に表示させる（Ｓ１３）。また、第２ポートＰ２から映像信号が入力された場合（映像信号を受信したポートが第２ポートＰ２のとき（Ｓ１１で第２ポートのとき）、表示制御部１５１は、第１ポートＰ１から同じ内容の映像信号を出力し（Ｓ１４）、第２ポートＰ２から入力された映像信号に基づく映像を表示部１５２に表示させる（Ｓ１５）。
【００２５】
図１Ａに戻り、マルチディスプレイ装置１００では、第１〜第ｎのディスプレイ１２０（１）〜１２０（ｎ）は、映像信号供給部１１０の第１供給ポートＳ１と第２供給ポートＳ２との間にこの順でディジーチェーン接続されている。具体的には、映像信号供給部１１０の第１供給ポートＳ１と第１のディスプレイ１２０（１）の第１ポートＰ１とが第１のケーブル１３０（１）により接続され、第１のディスプレイ１２０（１）の第２ポートＰ２と第２のディスプレイ１２０（２）の第１ポートＰ１とが第２のケーブル１３０（２）により接続され、第２のディスプレイ１２０（２）の第２ポートＰ２と第３のディスプレイ１２０（３）の第１ポートＰ１とが第３のケーブル１３０（３）により接続され、残りのディスプレイ１２０についても同様の要領で第ｎのディスプレイ１２０（ｎ）まで順次接続されている。第ｎのディスプレイ１２０（ｎ）の第２ポートＰ２は第ｎ＋１のケーブル１３０（ｎ＋１）により映像信号供給部１１０の第２供給ポートＳ２に接続されている。
【００２６】
映像信号供給部１１０は、通常時、第１供給ポートＳ１から第１のケーブル１３０（１）を介して第１のディスプレイ１２０（１）の第１ポートＰ１に映像信号を供給し、第１のディスプレイ１２０（１）は、第１ポートＰ１から受信した映像信号と同じ内容の映像信号を第２ポートＰ２から出力し、後段側の第２のケーブル１３０（２）を介して後段の第２のディスプレイ１２０（２）の第１ポートＰ１に供給する。他の各ディスプレイ１２０も同様に、第１ポートＰ１から受信した映像信号と同じ内容の映像信号を第２ポートＰ２から出力し、ケーブル１３０を介して後段のディスプレイ１２０の第１ポートＰ１に供給する。なお、最後段の第ｎのディスプレイ１２０（ｎ）は、第２ポートＰ２からの映像信号の出力を行わない。
【００２７】
一方、映像信号供給部１１０は、非通常時（異常発生時）、上述の通常時同様に第１供給ポートＳ１から第１のケーブル１３０（１）を介して第１のディスプレイ１２０（１）の第１ポートＰ１に映像信号を供給するだけでなく、第２供給ポートＳ２から第ｎ＋１のケーブル１３０（ｎ＋１）を介して第ｎのディスプレイ１２０（ｎ）の第２ポートＰ２に映像信号を供給する。非通常時とは、いずれかのディスプレイ１２０またはケーブル１３０において映像信号を伝送できない異常が発生しているときである。なお、映像信号供給部１１０及び映像信号制御部１４０において上記の異常を検知する方法については後述する。映像信号供給部１１０の第２供給ポートＳ２から映像信号を受信した第ｎのディスプレイ１２０（ｎ）は、第２ポートＰ２から受信した映像信号と同じ内容の映像信号を第１ポートＰ１から出力し、第ｎのケーブル１３０（ｎ）を介して前段側の第ｎ−１のディスプレイ（ｎ−１）の第２ポートＰ２に供給する。ここで、前段側とは、映像信号の流れ方向において上流側をいい、後段側とは、映像信号の流れ方向において下流側をいう。他の各ディスプレイ１２０も同様に、第２ポートＰ２から受信した映像信号と同じ内容の映像信号を第１ポートＰ１から出力し、前段側のケーブル１３０を介して前段のディスプレイ１２０の第２ポートＰ２に供給する。なお、非通常時においては、いずれかのディスプレイ１２０またはケーブル１３０に異常が生じているため、映像信号供給部１１０の第１供給ポートＳ１から出力された映像信号は異常発生箇所よりも後段のディスプレイ１２０には供給されず、映像信号供給部１１０の第２供給ポートＳ２から出力された映像信号は異常箇所よりも前段のディスプレイ１２０には供給されない。そのため、各ディスプレイ１２０には、第１ポートＰ１または第２ポートＰ２のいずれか一方のみから映像信号が入力され、各ディスプレイ１２０は、いずれかのポートから受信した映像信号に基づく映像を表示することとなる。
【００２８】
［２．異常検知方法］
映像信号制御部１４０が異常を検知する方法について説明する。
【００２９】
図３Ａは、実施の形態１における各ディスプレイ１２０の異常検知に関連する動作を示すフローチャートである。このフローチャートは、複数のディスプレイ１２０の各々において並行して実行される。
【００３０】
ディスプレイ１２０の表示制御部１５１は、第１ポートＰ１に映像信号が入力されているか否かを判断する（Ｓ２１）。映像信号が入力されているか否かは、例えば垂直同期信号が入力されているか否かに基づいて検知することができる。
【００３１】
第１ポートＰ１に映像信号が入力されている場合（Ｓ２１でＹＥＳ）、ディスプレイ１２０の表示制御部１５１は、ステップＳ２１を実行してから所定時間が経過すると（Ｓ２２）、ステップＳ２１に戻りその判断を実行する。
【００３２】
第１ポートＰ１に映像信号が入力されていない場合（Ｓ２１でＮＯ）、ディスプレイ１２０の表示制御部１５１は、第２ポートＰ２から映像信号不受信情報を送信する（Ｓ２３）。映像信号不受信情報は、例えば各ディスプレイ１２０のディスプレイ情報に乗せて送信される。ディスプレイ情報は、例えば、ディスプレイ１２０の型式や解像度等の情報を含む情報であり、各ディスプレイ１２０において所定時間周期で生成され、映像信号のヘッダに記録される。
【００３３】
図３Ｂは、実施の形態１における映像信号制御部１４０の動作を示すフローチャートである。
【００３４】
映像信号制御部１４０は、映像信号供給部１１０の第２供給ポートＳ２に映像信号不受信情報が入力されたか否かを判断する（Ｓ３１）。
【００３５】
映像信号不受信情報が入力されていない場合（Ｓ３１でＮＯ）、映像信号制御部１４０は、映像信号供給部１１０の第１供給ポートＳ１からの映像信号の出力を継続させる（Ｓ３２）。
【００３６】
映像信号不受信情報が入力された場合（Ｓ３１でＹＥＳ）、映像信号制御部１４０は、映像信号供給部１１０の第１供給ポートＳ１と第２供給ポートＳ２の両方から映像信号を出力させる（Ｓ３３）。
【００３７】
［２−１．動作の具体例］
動作の具体例について説明する。
【００３８】
［２−１−１．通常時］
いずれのディスプレイ１２０及びケーブル１３０にも異常が生じていないとき（通常時）、いずれのディスプレイ１２０も映像信号不受信情報を送信しない。
【００３９】
［２−１−２．非通常時］
映像信号供給部１１０からｍ番目の第ｍのケーブル１３０（ｍ）（ｍ＜ｎの自然数）において断線が発生した場合を例として説明する。この場合、第ｍ〜第ｎのディスプレイ１２０（ｍ）〜１２０（ｎ）はいずれも、第１ポートＰ１に映像信号が入力されなくなる。そのため、第ｍ〜第ｎのディスプレイ１２０（ｍ）〜１２０（ｎ）はそれぞれ、第２ポートＰ２から、後段側のディスプレイ１２０に映像信号不受信情報Ｓｉ（ｍ）〜Ｓｉ（ｎ）を送信する。
【００４０】
また、第ｍ＋１〜第ｎのディスプレイ１２０（ｍ＋１）〜１２０（ｎ）はそれぞれ、前段側のディスプレイ１２０から映像信号不受信情報Ｓｉが入力されると、入力された映像信号不受信情報Ｓｉを第２ポートＰ２から後段側のディスプレイ１２０に送信する。
【００４１】
最終的に、第ｍ〜第ｎのディスプレイ１２０（ｍ）〜１２０（ｎ）から送信された映像信号不受信情報Ｓｉ（ｍ）〜Ｓｉ（ｎ）は、第ｎ＋１のケーブル１３０（ｎ＋１）を介して映像信号供給部１１０に入力される。映像信号供給部１１０に映像信号不受信情報Ｓｉ（ｍ）〜Ｓｉ（ｎ）が入力されると、映像信号制御部１４０は、第１供給ポートＳ１から第１のディスプレイ１２０（１）側に現在供給している映像信号と同じ内容の映像信号を第２供給ポートＳ２から第ｎのディスプレイ１２０（ｎ）側に供給させるように映像信号供給部１１０を制御する。
【００４２】
その結果、第１〜第ｍ−１のディスプレイ１２０（１）〜１２０（ｍ−１）には、第１の経路（映像信号供給部１１０の第１供給ポートＳ１から第１のケーブル１３０（１）、第１のディスプレイ１２０（１）を通る経路）を介して映像信号が供給され、第ｍ〜第ｎのディスプレイ１２０（ｍ）〜１２０（ｎ）には、第２の経路（映像信号供給部１１０から第ｎ＋１のケーブル１３０（ｎ＋１）、第ｎのディスプレイ１２０（ｎ）を通る経路）を介して映像信号が供給される。このような構成によれば、映像信号の伝送路を構成する各ディスプレイ１２０間の各ケーブル１３０は、映像信号供給部１１０の一つのポートから出力される映像信号のみを伝送すればよい。そのため、ケーブル１３０の伝送帯域としては、映像信号１系統分のみ確保すればよい。したがって、伝送帯域を増加させるためにケーブル１３０を２本に増加させる等の必要がない。なお、異常に対応可能な他の映像信号供給方法としては、異常が発生していないときにおいても、常時、伝送帯域を半分に制限して第１供給ポートＳ１及び第２供給ポートＳ２の両方から映像信号を供給する方法があるが、この方法では、映像の品質が低下する。本実施形態によれば、映像送信に必要な帯域を増加させることなく、ケーブルの切断やディスプレイの故障に対応可能となる。
【００４３】
（実施の形態２）
実施の形態２のマルチディスプレイ装置について説明する。
［１．構成］
本実施形態のマルチディスプレイ装置は、基本的には、実施の形態１のマルチディスプレイ装置と同様の構成を有するが、逆方向の映像信号を送信する際の検知方法が実施の形態１のものと異なる。
【００４４】
［２．異常検知方法］
図４Ａは、実施の形態２における各ディスプレイ１２０の異常検知に関連する動作を示すフローチャートである。このフローチャートは、複数のディスプレイ１２０の各々において並行して実行される。
【００４５】
ディスプレイ１２０の表示制御部１５１は、前段のディスプレイ１２０から第１ポートＰ１にディスプレイ情報が入力されたか否かを判断する（Ｓ４１）。ディスプレイ情報は、例えば、ディスプレイ１２０の型式や解像度等の情報を含む情報であり、各ディスプレイ１２０において所定時間周期で生成され、映像信号のヘッダに記録される。本実施形態において、ディスプレイ情報は、さらにアクティブ情報を含む。アクティブ情報とは、自装置（ディスプレイ１２０）が正常に動作していることを示す情報である。自装置（ディスプレイ１２０）に異常が発生すると、アクティブ情報は生成されない。
【００４６】
第１ポートＰ１にディスプレイ情報が入力された場合（Ｓ４１でＹＥＳ）、ディスプレイ１２０の表示制御部１５１は、自装置（ディスプレイ１２０）のアクティブ情報を含むディスプレイ情報を生成し（Ｓ４２）、生成したディスプレイ情報（アクティブ情報）を、前段のディスプレイ１２０から受信したディスプレイ情報に続けて追記し第２ポートＰ２から送信する（Ｓ４３）。表示制御部１５１は、送信してから所定時間が経過すると（Ｓ４４）、ステップＳ４１に戻りその判断を実行する。
【００４７】
第１ポートＰ１にディスプレイ情報が入力されていない場合（Ｓ４１でＮＯ）、ディスプレイ１２０の表示制御部１５１は、自装置（ディスプレイ１２０）のアクティブ情報を含むディスプレイ情報を生成し（Ｓ４５）、生成したディスプレイ情報（アクティブ情報）を第２ポートＰ２から送信する（Ｓ４６）。
【００４８】
図４Ｂは、実施の形態２における映像信号制御部１４０の動作を示すフローチャートである。
【００４９】
映像信号制御部１４０は、映像信号供給部１１０の第２供給ポートＳ２に入力されたディスプレイ情報（アクティブ情報）に欠落が存在しないか否かを判断する（Ｓ５１）。
【００５０】
ディスプレイ情報（アクティブ情報）に欠落が存在しない場合（Ｓ５１でＮＯ）、映像信号制御部１４０は、映像信号供給部１１０の第１供給ポートＳ１からの映像信号の出力を継続させる（Ｓ５２）。
【００５１】
ディスプレイ情報（アクティブ情報）に欠落が存在する場合（Ｓ５１でＹＥＳ）、映像信号制御部１４０は、映像信号供給部１１０の第１供給ポートＳ１と第２供給ポートＳ２の両方から映像信号を出力させる（Ｓ５３）。
【００５２】
［２−１．動作の具体例］
動作の具体例について説明する。
【００５３】
［２−１−１．通常時］
第１のディスプレイ１２０（１）は、所定時間周期で、自装置のアクティブ情報を含むディスプレイ情報を生成し、第２ポートＰ２を介して第２のディスプレイ１２０（２）に送信する。
【００５４】
第２のディスプレイ１２０（２）は、第１のディスプレイ１２０（１）からアクティブ情報を含むディスプレイ情報を受信すると、自装置のアクティブ情報を含むディスプレイ情報を生成し、第１のディスプレイ１２０（１）から受信したディスプレイ情報に続けて、第２ポートＰ２を介して送信する。これにより、第１〜第２のディスプレイ１２０（１）〜１２０（２）の各ディスプレイ情報が続けて送信される。
【００５５】
第３のディスプレイ１２０（３）は、第２のディスプレイ１２０（２）からアクティブ情報を含むディスプレイ情報を受信すると、自装置のアクティブ情報を含むディスプレイ情報を生成し、第２のディスプレイ１２０（２）から受信したディスプレイ情報に続けて、第２ポートＰ２から送信する。これにより、第１〜第３のディスプレイ１２０（１）〜１２０（３）の各ディスプレイ情報が続けて送信される。
【００５６】
同様に、第４〜第ｎのディスプレイ１２０（４）〜１２０（ｎ）はそれぞれ、前段側のディスプレイ１２０からアクティブ情報を含むディスプレイ情報を受信すると、自装置のアクティブ情報を含むディスプレイ情報を生成し、前段側のディスプレイ１２０から受信したディスプレイ情報に続けて、第２ポートＰ２から送信する。これにより、第１〜第ｎのディスプレイ１２０（１）〜１２０（ｎ）の各ディスプレイ情報が続けて送信される。
【００５７】
最終的に、第１〜第ｎのディスプレイ１２０（１）〜１２０（ｎ）の各ディスプレイ情報が映像信号供給部１１０の第２ポートＰ２に入力される。
【００５８】
映像信号制御部１４０は、映像信号供給部１１０の第２ポートＰ２に入力されたディスプレイ情報（アクティブ情報）の欠落の有無を判断する。通常時においては、ディスプレイ情報（アクティブ情報）の欠落はないと判断される。
【００５９】
［２−１−２．非通常時］
映像信号供給部１１０からｍ番目の第ｍのケーブル１３０（ｍ）において断線が発生した場合を例として説明する。この場合、第ｍのケーブル１３０（ｍ）の後段側に、それよりも前段側の第１〜第ｍ−１のディスプレイ１２０（１）〜１２０（ｍ−１）の各ディスプレイ情報（アクティブ情報）が伝送されなくなる。この場合、第ｍのディスプレイ１２０（ｍ）は、第ｍのディスプレイ１２０（ｍ）よりも前段側のディスプレイ情報（アクティブ情報）は無いものとして、自装置（第ｍのディスプレイ１２０（ｍ）のアクティブ情報を含むディスプレイ情報を生成し、第２ポートＰ２から送信する。
【００６０】
同様に、第ｍ＋１〜第ｎのディスプレイ１２０（ｍ＋１）〜１２０（ｎ）はそれぞれ、前段側のディスプレイ１２０からアクティブ情報を含むディスプレイ情報を受信すると、自装置のアクティブ情報を含むディスプレイ情報を生成し、前段側のディスプレイ１２０から受信したディスプレイ情報に続けて、第２ポートＰ２から送信する。
【００６１】
これにより、最終的に、第ｍ〜第ｎのディスプレイ１２０（ｍ）〜１２０（ｎ）の各ディスプレイ情報（アクティブ情報）が映像信号供給部１１０の第２ポートＰ２に入力される。
【００６２】
映像信号制御部１４０は、映像信号供給部１１０の第２ポートＰ２に入力されたディスプレイ情報（アクティブ情報）の欠落の有無を判断する。上記の例では、第１〜第ｍ−１のディスプレイ１２０（１）〜１２０（ｍ−１）の各ディスプレイ情報（アクティブ情報）が欠落していると判断される。この場合、映像信号制御部１４０は、第ｍのケーブル１３０（ｍ）または第ｍ−１のディスプレイ１２０（ｍ−１）で故障が発生したものと判断し、映像信号供給部１１０を、実施形態１同様に、第１供給ポートＳ１から第１のディスプレイ１２０（１）に供給しているものと同じ映像信号を、第２供給ポートＳ２から第ｎのディスプレイ１２０（ｎ）に供給させるように制御する。
【００６３】
これにより、実施形態１で説明したのと同様に、映像送信に必要な帯域を増加させることなく、ケーブルの切断やディスプレイの故障に対応可能となる。
【００６４】
なお、上記本実施の形態では、第ｍのディスプレイ１２０（ｍ）側から第ｍ＋１のディスプレイ１２０（ｍ＋１）側にディスプレイ情報（アクティブ情報）を送信する場合を例示したが、第ｍのディスプレイ１２０（ｍ）側から第ｍ−１のディスプレイ１２０（ｍ−１）側に、つまり逆方向にディスプレイ情報（アクティブ情報）を送信してもよい。または、第ｍのディスプレイ１２０（ｍ）側から第ｍ−１、第ｍ＋１の両方のディスプレイ１２０に、つまり両方向に、ディスプレイ情報（アクティブ情報）を送信してもよい。逆方向にディスプレイ情報（アクティブ情報）を送信する場合、第１のディスプレイ１２０（１）は、第２のディスプレイ１２０（２）から受信したディスプレイ情報（アクティブ情報）を映像信号供給部１１０に送信する。
【００６５】
また、所定時間ごとにアクティブ情報を含むディスプレイ情報を送信する場合を例示したが、所定時間ごとでなく、電源ＯＮ時やユーザーによる操作時など、ディスプレイ１２０において所定の動作が生じた場合に、アクティブ情報を送信するようにしてもよい。
【００６６】
（実施の形態３）
実施の形態３のマルチディスプレイ装置について説明する。
［１．構成］
本実施形態のマルチディスプレイ装置は、基本的には、実施の形態１のマルチディスプレイ装置と同様の構成を有するが、逆方向の映像信号を送信する際の検知方法が実施の形態１、実施の形態２のものと異なる。
【００６７】
［２．異常検知方法］
図５Ａは、実施の形態３における各ディスプレイ１２０の異常検知に関連する動作を示すフローチャートである。このフローチャートは、複数のディスプレイ１２０の各々において並行して実行される。
【００６８】
ディスプレイ１２０の表示制御部１５１は、第１ポートＰ１に確認用信号が入力されたか否かを判断する（Ｓ６１）。確認用信号は、各ディスプレイ１２０及びケーブル１３０の状態を確認するための信号であり、映像信号供給部１１０から所定時間周期で出力され、各ディスプレイ１２０にリレー形式で伝送される。
【００６９】
第１ポートＰ１に確認用信号が入力された場合（Ｓ６１でＹＥＳ）、ディスプレイ１２０の表示制御部１５１は、受信した確認用信号をリレー形式で第２ポートＰ２から送信する（Ｓ６２）。送信してから所定時間が経過すると（Ｓ６３）、ステップＳ６１に戻りその判断を実行する。
【００７０】
第１ポートＰ１に確認用信号が入力されない場合（Ｓ６１でＮＯ）、ディスプレイ１２０の表示制御部１５１は、本フローチャートの処理を終了する。第１ポートＰ１に確認用信号が所定時間入力されないことは、いずれかのディスプレイ１２０またはケーブル１３０で異常が発生していると考えられるからである。
【００７１】
図５Ｂは、実施の形態３における映像信号制御部１４０の動作を示すフローチャートである。
【００７２】
映像信号制御部１４０は、映像信号供給部１１０の第２供給ポートＳ２に確認用信号が入力されたか否かを判断する（Ｓ７１）。
【００７３】
確認用信号が入力された場合（Ｓ７１でＹＥＳ）、映像信号制御部１４０は、映像信号供給部１１０の第１供給ポートＳ１からの映像信号の出力を継続させる（Ｓ７２）。
【００７４】
確認用信号が入力されていない場合（Ｓ７１でＹＥＳ）、映像信号制御部１４０は、映像信号供給部１１０の第１供給ポートＳ１と第２供給ポートＳ２の両方から映像信号を出力させる（Ｓ７３）。
【００７５】
［２−１．動作の具体例］
動作の具体例について説明する。
【００７６】
［２−１−１．通常時］
映像信号供給部１１０は、確認用信号を第１供給ポートＳ１から第１のディスプレイ１２０（１）に送信する。確認用信号の送信は、所定時間周期で行われる。
【００７７】
第１のディスプレイ１２０（１）は、第１ポートＰ１に確認用信号が入力されると、入力された確認用信号を第２ポートＰ２から第２のディスプレイ１２０（２）に向けて送信する。
【００７８】
第２のディスプレイ１２０（２）は、第１ポートＰ１に確認用信号が入力されると、入力された確認用信号を第２ポートＰ２から第３のディスプレイ１２０（３）に送信する。
【００７９】
同様に、第３〜第ｎのディスプレイ１２０（３）〜１２０（ｎ）はそれぞれ、第１ポートＰ１に確認用信号が入力されると、入力された確認用信号を第２ポートＰ２から後段側に送信する。
【００８０】
これにより、映像信号供給部１１０から出力された確認用信号は、第１〜第ｎのディスプレイ１２０（１）〜１２０（ｎ）を経由してリレー形式で伝達され、最終的に映像信号供給部１１０の第２供給ポートＳ２に帰還する。
【００８１】
［２−１−２．非通常時］
映像信号供給部１１０からｍ番目の第ｍのケーブル１３０（ｍ）において断線が発生した場合を例として説明する。この場合、第ｍのケーブル１３０（ｍ）の後段側に確認用信号が伝送されなくなる。そのため、確認用信号が、映像信号供給部１１０の第２供給ポートＳ２に帰還しないこととなる。映像信号供給部１１０は、第１供給ポートＳ１から確認用信号を出力してから所定時間経過しても、第２供給ポートＳ２に確認用信号が帰還しない場合、いずれかのケーブル１３０またはディスプレイ１２０で故障が発生したものと判断する。そして、映像信号供給部１１０は、映像信号供給部１１０を、実施形態１同様に、第１供給ポートＳ１から第１のディスプレイ１２０（１）側に供給しているものと同じ映像信号を、第２供給ポートＳ２から第ｎのディスプレイ１２０（ｎ）側に供給させるように制御する。
【００８２】
これにより、実施形態１で説明したのと同様に、映像送信に必要な帯域を増加させることなく、ケーブルの切断やディスプレイの故障に対応可能となる。
【００８３】
本実施形態では、確認用信号を映像信号供給部１１０の第１供給ポートＳ１から第１のディスプレイ１２０（１）側に出力し、第ｎのディスプレイ１２０（ｎ）を介して映像信号供給部１１０の第２供給ポートＳ２に帰還させる場合を例示したが、確認用信号を映像信号供給部１１０の第２供給ポートＳ２から第ｎのディスプレイ１２０（ｎ）側に出力し、第１のディスプレイ１２０（１）を介して映像信号供給部１１０の第１供給ポートＳ１に帰還させるように構成してもよい。
【００８４】
（実施の形態４）
実施の形態４のマルチディスプレイ装置について説明する。
［１．構成］
本実施形態のマルチディスプレイ装置は、基本的には、実施の形態１のマルチディスプレイ装置と同様の構成を有するが、逆方向の映像信号を送信する際の検知方法が実施の形態１、実施の形態２、実施の形態３のものと異なる。
【００８５】
［２．異常検知方法］
図６Ａは、実施の形態４における各ディスプレイ１２０の異常検知に関連する動作を示すフローチャートである。このフローチャートは、複数のディスプレイ１２０の各々において並行して実行される。
【００８６】
ディスプレイ１２０の表示制御部１５１は、第１ポートＰ１に映像信号が入力されているか否かを判断する（Ｓ８１）。映像信号が入力されているか否かは、例えば垂直同期信号が入力されているか否かに基づいて検知することができる。
【００８７】
第１ポートＰ１に映像信号が入力されている場合（Ｓ８１でＹＥＳ）、ディスプレイ１２０の表示制御部１５１は、自装置（ディスプレイ１２０）の映像信号入力フラグとして、受信していることを示す値を設定して送信する（Ｓ８２）。映像信号入力フラグは、例えば各ディスプレイ１２０のディスプレイ情報に乗せて送信される。ディスプレイ１２０の表示制御部１５１は、所定時間経過（Ｓ８３）後に、再度ステップＳ８１の判断を実行する。
【００８８】
第１ポートＰ１に映像信号が入力されていない場合（Ｓ８１でＮＯ）、ディスプレイ１２０の表示制御部１５１は、自装置（ディスプレイ１２０）の映像信号入力フラグとして、受信していないことを示す値を設定して送信する（Ｓ８４）。
【００８９】
図６Ｂは、実施の形態４における映像信号制御部１４０の動作を示すフローチャートである。
【００９０】
映像信号制御部１４０は、いずれかのディスプレイ１２０の映像信号入力フラグの値が不受信を示す値に変化したか否かを判断する（Ｓ９１）。
【００９１】
いずれのディスプレイ１２０についても映像信号入力フラグの値が不受信を示す値に変化していない場合（Ｓ９１でＮＯ）、映像信号制御部１４０は、映像信号供給部１１０の第１供給ポートＳ１からの映像信号の出力を継続させる（Ｓ９２）。
【００９２】
いずれかのディスプレイ１２０の映像信号入力フラグの値が不受信を示す値に変化した場合（Ｓ９１でＹＥＳ）、映像信号制御部１４０は、映像信号供給部１１０の第１供給ポートＳ１と第２供給ポートＳ２の両方から映像信号を出力させる（Ｓ９３）。
【００９３】
［２−１．動作の具体例］
動作の具体例について説明する。
【００９４】
［２−１−１．通常時］
第１のディスプレイ１２０（１）は、映像信号入力フラグを含むディスプレイ情報を生成し、第２ポートＰ２を介して第２のディスプレイ１２０（２）に送信する。映像信号入力フラグの送信は、所定時間周期で行われる。通常時においては、映像信号入力フラグの値は、映像信号が第１ポートＰ１に入力されていることを示す値となる。
【００９５】
第２のディスプレイ１２０（２）は、第１のディスプレイ１２０（１）から映像信号入力フラグを含むディスプレイ情報を受信すると、自装置の映像信号入力フラグを含むディスプレイ情報を生成し、第１のディスプレイ１２０（１）から受信したディスプレイ情報に続けて、第２ポートＰ２を介して送信する。これにより、第１〜第２のディスプレイ１２０（１）〜１２０（２）の各ディスプレイ情報が続けて送信される。
【００９６】
第３のディスプレイ１２０（３）は、第２のディスプレイ１２０（２）から映像信号入力フラグを含むディスプレイ情報を受信すると、自装置の映像信号入力フラグを含むディスプレイ情報を生成し、第２のディスプレイ１２０（２）から受信したディスプレイ情報に続けて、第２ポートＰ２から送信する。これにより、第１〜第３のディスプレイ１２０（１）〜１２０（３）の各ディスプレイ情報が続けて送信される。
【００９７】
同様に、第４〜第ｎのディスプレイ１２０（４）〜１２０（ｎ）はそれぞれ、前段側のディスプレイ１２０から映像信号入力フラグを含むディスプレイ情報を受信すると、自装置の映像信号入力フラグを含むディスプレイ情報を生成し、前段側のディスプレイ１２０から受信したディスプレイ情報に続けて、第２ポートＰ２から送信する。これにより、第１〜第ｎのディスプレイ１２０（１）〜１２０（ｎ）の各ディスプレイ情報が続けて送信される。
【００９８】
最終的に、第１〜第ｎのディスプレイ１２０（１）〜１２０（ｎ）の各ディスプレイ情報が映像信号供給部１１０の第２ポートＰ２に入力される。
【００９９】
映像信号制御部１４０は、映像信号供給部１１０の第２ポートＰ２に入力されたディスプレイ情報の中の映像信号入力フラグの値を確認する。通常時においては、ディスプレイ情報の欠落はないと判断される。
【０１００】
［２−１−２．非通常時］
映像信号供給部１１０からｍ番目の第ｍのケーブル１３０（ｍ）において断線が発生した場合を例として説明する。この場合、第ｍのケーブル１３０（ｍ）の後段側に、それよりも前段側の第１〜第ｍ−１のディスプレイ１２０（１）〜１２０（ｍ−１）の各ディスプレイ情報が伝送されなくなる。この場合、第ｍのディスプレイ１２０（ｍ）は、第ｍのディスプレイ１２０（ｍ）よりも前段側のディスプレイ情報は無いものとして、自装置（第ｍのディスプレイ１２０（ｍ）の映像信号入力フラグを含むディスプレイ情報を生成し、第２ポートＰ２から送信する。非通常時においては、映像信号入力フラグの値は、映像信号が第１ポートＰ１に入力されていないことを示す値となる。
【０１０１】
同様に、第ｍ＋１〜第ｎのディスプレイ１２０（ｍ＋１）〜１２０（ｎ）はそれぞれ、前段側のディスプレイ１２０から映像信号入力フラグを含むディスプレイ情報を受信すると、自装置の映像信号入力フラグを含むディスプレイ情報を生成し、前段側のディスプレイ１２０から受信したディスプレイ情報に続けて、第２ポートＰ２から送信する。
【０１０２】
これにより、最終的に、第ｍ〜第ｎのディスプレイ１２０（ｍ）〜１２０（ｎ）の各ディスプレイ情報が映像信号供給部１１０の第２ポートＰ２に入力される。
【０１０３】
映像信号制御部１４０は、映像信号供給部１１０の第２ポートＰ２に入力されたディスプレイ情報の映像信号入力フラグの値を確認する。上記の例では、第ｍ〜第ｎのディスプレイ１２０（ｍ）〜１２０（ｎ）の各ディスプレイ情報の映像信号入力フラグの値は映像信号が入力されていないことを示す値であるため、この場合、映像信号制御部１４０は、第ｍのケーブル１３０（ｍ）または第ｍ−１のディスプレイ１２０（ｍ−１）で故障が発生したものと判断し、映像信号供給部１１０を、実施形態１同様に、第１供給ポートＳ１から第１のディスプレイ１２０（１）に供給しているものと同じ映像信号を、第２供給ポートＳ２から第ｎのディスプレイ１２０（ｎ）に供給させるように制御する。
【０１０４】
これにより、実施形態１で説明したのと同様に、映像送信に必要な帯域を増加させることなく、ケーブルの切断やディスプレイの故障に対応可能となる。
【０１０５】
（各実施形態の効果等）
実施形態１〜４のマルチディスプレイ装置１００は、
映像信号を出力可能な第１及び第２供給ポートＳ１及びＳ２（第１及び第２の入出力ポート）を有する映像信号供給部１１０と、
映像信号供給部１１０の第１供給ポートＳ１（第１の入出力ポート）と第２供給ポートＳ２（第２の入出力ポート）との間に順にケーブル１３０（１）〜１３０（ｎ＋１）を介してディジーチェーン接続され、第１及び第２供給ポートＳ１及びＳ２（第１及び第２の入出力ポート）のいずれかから出力された映像信号に基づく映像を表示可能な第１〜第ｎのディスプレイ１２０（１）〜１２０（ｎ）と、
映像信号供給部１１０の第１及び第２供給ポートＳ１及びＳ２（第１及び第２の入出力ポート）からの映像信号の出力を制御する映像信号制御部１４０と、を備える。
映像信号制御部１４０は、
通常時、第１供給ポートＳ１（第１の入出力ポート）から映像信号を出力させるように映像信号供給部１１０を制御し、
いずれかのディスプレイ１２０よりも下流側のディスプレイ１２０に映像信号が供給されていないことを検知した非通常時、第１供給ポートＳ１（第１の入出力ポート）と第２供給ポートＳ２（第２の入出力ポート）との両方から映像信号を出力させるように映像信号供給部１１０を制御する。
【０１０６】
これにより、映像送信に必要な帯域を増加させることなく、ケーブル１３０の切断やディスプレイ１２０の故障に対応可能となる。
【０１０７】
実施形態１のマルチディスプレイ装置１００において、
第１〜第ｎのディスプレイ１２０（１）〜１２０（ｎ）の各々は、前段のディスプレイ１２０から映像信号が入力されない場合、第２供給ポートＳ２（第２の入出力ポート）から映像信号不受信情報を送信する。
映像信号制御部１４０は、第１〜第ｎのディスプレイ１２０（１）〜１２０（ｎ）のうちの少なくとも１つから映像信号不受信情報が入力された場合、非通常時であるとする。
【０１０８】
これにより、映像信号不受信情報に基づいて、非通常時か否かの判断を行うことができる。
【０１０９】
実施形態２のマルチディスプレイ装置１００において、
第１〜第ｎのディスプレイ１２０（１）〜１２０（ｎ）の各々は、所定時間間隔で、自装置が正常に動作しているか否かを示す状態情報を第２供給ポートＳ２（第２の入出力ポート）から後段側に送信する。
映像信号制御部１４０は、少なくとも一つのディスプレイ１２０の状態情報が所定時間よりも長い間入力されない場合、非通常時であるとする。
【０１１０】
これにより、ディスプレイ１２０の状態情報に基づいて、非通常時か否かの判断を行うことができる。
【０１１１】
実施形態３のマルチディスプレイ装置１００において、
映像信号制御部１４０は、所定のときに、映像信号供給部１１０に確認用信号を第２供給ポートＳ２（第２の入出力ポート）から第１のディスプレイ１２０（１）に送信させる。
第１〜第ｎのディスプレイ１２０（１）〜１２０（ｎ）の各々は、前段側から受信した確認用信号を後段側に出力する。
映像信号制御部１４０は、確認用信号を送信してから所定時間経過しても前段側から確認用信号が入力されない場合、非通常時であるとする。
【０１１２】
これにより、確認用信号に基づいて、非通常時か否かの判断を行うことができる。
【０１１３】
実施形態４のマルチディスプレイ装置１００において、
第１〜第ｎのディスプレイ１２０（１）〜１２０（ｎ）の各々は、前段側から映像信号が入力されているか否かを示す映像信号入力フラグを第２供給ポートＳ２（第２の入出力ポート）から送信する。
映像信号制御部１４０は、少なくとも一つのディスプレイ１２０の映像信号入力フラグが、前段側から映像信号が入力されていないことを示している場合、非通常時であるとする。
【０１１４】
これにより、映像信号入力フラグに基づいて、非通常時か否かの判断を行うことができる。
【０１１５】
（その他の実施の形態）
以上のように、添付図面および詳細な説明によって、ベストモードと考える実施の形態と他の実施の形態とを提供した。これらは、特定の実施の形態を参照することにより、当業者に対して、特許請求の範囲に記載の主題を例証するために提供されるものである。したがって、特許請求の範囲またはその均等の範囲において、上述の実施の形態に対して、種々の変更、置き換え、付加、省略などを行うことができる。
【産業上の利用可能性】
【０１１６】
本開示は、複数のディスプレイを有するマルチディスプレイ装置に適用可能である。
【符号の説明】
【０１１７】
１００            マルチディスプレイ装置
１１０            映像信号供給部
１２０（１）  第１のディスプレイ
１２０（２）  第２のディスプレイ
１２０（３）  第３のディスプレイ
１２０（ｍ−１）  第ｍ−１のディスプレイ
１２０（ｍ）  第ｍのディスプレイ
１２０（ｍ＋１）  第ｍ＋１のディスプレイ
１２０（ｎ−２）  第ｎ−２のディスプレイ
１２０（ｎ−１）  第ｎ−１のディスプレイ
１２０（ｎ）  第ｎのディスプレイ
１３０（１）  第１のケーブル
１３０（２）        第２のケーブル
１３０（３）        第３のケーブル
１３０（ｍ）        第ｍのケーブル
１３０（ｍ＋１）  第ｍ＋１のケーブル
１３０（ｎ−１）  第ｎ−１のケーブル
１３０（ｎ）  第ｎのケーブル
１３０（ｎ＋１）  第ｎ＋１のケーブル
１４０            映像信号制御部
Ｐ１  第１ポート
Ｐ２  第２ポート
Ｓ１  第１供給ポート
Ｓ２  第２供給ポート
【図１Ａ】
2017207580.tif 000003
【図１Ｂ】
2017207580.tif 000004
【図２】
2017207580.tif 000005
【図３Ａ】
2017207580.tif 000006
【図３Ｂ】
2017207580.tif 000007
【図４Ａ】
2017207580.tif 000008
【図４Ｂ】
2017207580.tif 000009
【図５Ａ】
2017207580.tif 000010
【図５Ｂ】
2017207580.tif 000011
【図６Ａ】
2017207580.tif 000012
【図６Ｂ】
2017207580.tif 000013